(57)【特許請求の範囲】
【請求項１】
壁に形成された開口部に隠し蝶番にて開戸を取り付けるための開戸枠構造であって、
幅方向一方端面に幅調整溝が形成されており、かつ、前記開口部の内側面に上下方向へ延びて配設された縦枠と、前記縦枠の幅方向一方端部と前記壁との間に生じた隙間を目隠しするケーシング部材と、前記縦枠の幅方向他方端部と前記壁との間に生じた隙間を目隠しする見切部材とを備えており、
前記縦枠の前記幅方向一方端面は前記壁の幅内に配置されており、かつ、前記縦枠の幅方向他方端部は前記壁の一方主面から突出しており、
前記ケーシング部材は、前記幅調整溝に前記壁の厚さに応じた長さで挿入される長尺板状の幅調整部と、前記幅調整部と一体に形成され、かつ、前記壁の他方主面に沿って配置され、前記壁の端縁を覆う被覆部とを有しており、
隠し蝶番の一方の固定片が戸パネルの蝶番収容穴に固定されており、かつ、他方の固定片が前記縦枠の幅方向他方端部の幅方向他方端面に近接した位置に穿設された蝶番収容穴に固定されており、
前記見切部材は、前記縦枠の背面に当接される縦枠当接面と、前記壁の一方主面に当接される壁当接面とを有する棒状部材である、開戸枠構造。
【請求項２】
前記見切部材と同じ形状で同じサイズの見切部材を前記被覆部の背面と前記壁の他方主面との両方に沿って配置した、請求項１に記載の開戸枠構造。
【発明の詳細な説明】
【技術分野】
【０００１】
本発明は、建物の壁に形成された開口部に開戸を取り付けるための開戸枠構造であって、特に、隠し蝶番の使用に適する開戸枠構造に関する。
【背景技術】
【０００２】
従来の開戸枠構造の具体例を図５〜図７に示す。
【０００３】
図５に示した開戸枠構造１Ａは、部屋等の壁２に形成された開口部３において開戸４を支持するものであり、開口部３の内側面に取り付けられた縦枠５と、縦枠５に固定された戸当り６とを有している。壁２は、壁枠２ａと、壁枠２ａの表裏両面に接合された壁板２ｂとを有しており、開口部３の内周部においては、表裏の壁板２ｂ間に開口下地枠２ｃが配設されている。縦枠５は、壁板２ｂの端縁を覆い隠す長尺板状の部材であり、縦枠５の背面には、壁板２ｂの端縁を収容する２本の壁板収容溝５ａが上下方向へ延びて形成されており、縦枠５の表面には、戸当り６の嵌合突部６ａが嵌合される嵌合溝５ｂが上下方向へ延びて形成されている。また、縦枠５の表面には、少なくとも２つの蝶番収容穴５ｃが形成されており、蝶番収容穴５ｃには、開戸４に取り付けられた隠し蝶番７の固定片７ｂが収容され、かつ、固定されている。
【０００４】
ここで、「隠し蝶番７」とは、２つの固定片７ａ，７ｂと、これらを角度変更自在に連結するリンク機構(図示省略)とで構成されており、一方の固定片７ａを開戸４の蝶番収容穴４ｂに固定し、他方の固定片７ｂを縦枠５の蝶番収容穴５ｃに固定することによって、開戸４を閉めたときに、外部から見えなくなるように取り付けられるものである。このような「隠し蝶番７」を用いることによって、開戸４と縦枠５との隙間が小さくなり、当該隙間で手指を挟む事故を防止できるとともに、開戸４を１８０度回転させることができる。
【０００５】
開戸枠構造１Ａ（図５）によれば、縦枠５の壁板収容溝５ａに各壁板２ｂの端縁を収容しているので、各壁板２ｂの端縁の加工精度に多少の「むら」があったとしても、当該「むら」を吸収することができ、縦枠５と壁２との間に隙間が生じるのを防止できる。しかし、蝶番収容穴５ｃが形成された側の壁板収容溝５ａにおいては、蝶番収容穴５ｃに収容された隠し蝶番７が壁板収容溝５ａ内へと張り出すようになり、壁板２ｂの端縁と隠し蝶番７の固定片７ａとが干渉し合うため、隠し蝶番７の使用には適さないという問題があった。なお、図５では当該干渉部分を×で示す。また、本明細書においては、図面の簡略化のために断面のハッチングを省略している。
【０００６】
図６に示した開戸枠構造１Ｂは、基本的には図５に示す開戸枠構造１Ａと同じであるが、壁板収容溝５ａに代えてケーシング部材５Ｂが設けられている。縦枠５Ａは、開口部３の内側面に取り付けられた長尺板状の部材であり、縦枠５Ａの幅方向両端面には、ケーシング部材５Ｂの一端５ｅを収容する幅調整溝５ｄが形成されている。一方、ケーシング部材５Ｂは、断面略Ｌ字状の棒状部材であり、ケーシング部材５Ｂの一端５ｅは、幅調整溝５ｄに挿脱方向に移動可能な状態で収容されており、他端５ｆは、壁２の表面に沿って配置されている。
【０００７】
開戸枠構造１Ｂ（図６）によれば、幅調整溝５ｄに対するケーシング部材５Ｂの挿入長さを調整することによって、壁２の厚さのばらつきに対応でき、また、縦枠５Ａと壁２との間に生じた隙間をケーシング部材５Ｂで覆い隠すことができる。しかし、縦枠５Ａに隠し蝶番７を取り付けた場合、隠し蝶番７の回転軸Ａがケーシング部材５Ｂの端面５ｇよりも開口部３の内側に配置されるため、図６中の二点鎖線で示すように、開戸４を構成する戸パネル４ａがケーシング部材５Ｂに当たってしまい、開戸４を完全に開くことができないという問題があった。また、蝶番収容穴５ｃが形成された側の幅調整溝５ｄにおいては、ケーシング部材５Ｂの一端５ｅと隠し蝶番７の固定片７ａとが干渉し合う(図６における×部分)ため、隠し蝶番７の使用には適さないという問題があった。
【０００８】
図７に示した開戸枠構造１Ｃは、図６に示す開戸枠構造１Ｂに対して縦枠５Ａの構成を変更したものである。すなわち、縦枠５Ａは、開口部３の内側面に取り付けられた長尺板状の本体部分５ｈを有しており、本体部分５ｈの幅方向一方端面には、ケーシング部材５Ｂの一端５ｅを収容する幅調整溝５ｄが形成されており、本体部分５ｈにおける幅方向他方端部には、壁２の表面に沿って配置される被覆部５ｉが突設されている。そして、本体部分５ｈにおける幅方向他方端面に近接した位置に、開口部３側に開口する蝶番収容穴５ｃが形成されている。
【０００９】
開戸枠構造１Ｃ（図７）によれば、壁２の厚さのばらつきに対応できるとともに、縦枠５Ａと壁２との間に生じた隙間を覆い隠すことができる。また、開戸枠構造１Ｂ（図６）のように戸パネル４ａが当たるケーシング部材５Ｂは存在せず、隠し蝶番７の回転軸Ａを開口部１４の外側に配置することができるので、開戸４を完全に開くことができる。しかし、開口部３に近接した位置に２つの壁２，８によって入隅９が構成されている場合には、図７中の二点鎖線で示すように、被覆部５ｉが壁８に当たってしまうため、被覆部５ｉの先端部（図７中のハッチング部分）を切除する必要があり、その作業が面倒であった。なお、開戸枠構造１Ｃ（図７）と同種の開戸枠構造が特許文献１および２に開示されている。
【特許文献１】特開２００２−４７２０号公報
【特許文献２】特開２００６−１０４７７８号公報
【発明の開示】
【発明が解決しようとする課題】
【００１０】
それゆえに、本発明の主たる課題は、（ａ）壁の厚さのばらつきに対応でき、（ｂ）縦枠と壁との間に生じた隙間を覆い隠すことができ、（ｃ）開戸を完全に開くことができ、（ｄ）入隅においても簡単に施工でき、（ｅ）隠し蝶番の使用に適する、開戸枠構造を提供することである。
【課題を解決するための手段】
【００１１】
請求項１に記載した発明は、「壁１２に形成された開口部１４に隠し蝶番１６にて開戸１８を取り付けるための開戸枠構造１０であって、幅方向一方端面３２ｃに幅調整溝４２が形成されており、かつ、前記開口部１４の内側面に上下方向へ延びて配設された縦枠３２と、前記縦枠３２の幅方向一方端部３２ａと前記壁１２との間に生じた隙間を目隠しするケーシング部材３４と、前記縦枠３２の幅方向他方端部３２ｂと前記壁１２との間に生じた隙間を目隠しする見切部材３６Ａとを備えており、前記縦枠３２の前記幅方向一方端面３２ｃは前記壁１２の幅内に配置されており、かつ、前記縦枠３２の幅方向他方端部３２ｂは前記壁１２の一方主面１２Ａから突出しており、前記ケーシング部材３４は、前記幅調整溝４２に前記壁１２の厚さに応じた長さで挿入される長尺板状の幅調整部４８と、前記幅調整部４８と一体に形成され、かつ、前記壁１２の他方主面１２Ｂに沿って配置され、前記壁１２の端縁を覆う被覆部５０とを有しており、隠し蝶番１６の一方の固定片１６ａが戸パネル２６の蝶番収容穴３０に固定されており、かつ、他方の固定片１６ｂが前記縦枠３２の幅方向他方端部３２ｂの幅方向他方端面３２ｄに近接した位置に穿設された蝶番収容穴４６に固定されており、前記見切部材３６Ａは、前記縦枠３２の背面に当接される縦枠当接面３６ａと、前記壁１２の一方主面１２Ａに当接される壁当接面３６ｂとを有する棒状部材である、開戸枠構造１０」である。
【００１２】
開戸枠構造１０を組み立てる際には、開口部１４の内側面に縦枠３２を取り付ける。このとき、縦枠３２の幅方向一方端面３２ｃを壁１２の幅内に配置し、かつ、縦枠３２の幅方向他方端部３２ｂを壁１２の一方主面１２Ａから突出させる。そして、縦枠３２の幅方向一方端面３２ｃに形成された幅調整溝４２にケーシング部材３４の幅調整部４８を挿入するとともに、ケーシング部材３４の被覆部５０を壁１２の他方主面１２Ｂに沿って配置する。また、縦枠３２の幅方向他方端部３２ｂ（すなわち突出部３２ｅ）の背面３２ｆと壁１２の一方主面１２Ａとの両方に沿って見切部材３６Ａを配置する。
【００１３】
幅調整溝４２に幅調整部４８を挿入する際には、挿入長さを調整することによって、壁１２の厚さのばらつきに対応することができる。これにより、縦枠３２の幅方向一方端部３２ａと壁１２との間に生じた隙間をケーシング部材３４の幅調整部４８と被覆部５０とによって覆い隠すことができ、縦枠３２の幅方向他方端部３２ｂと壁１２との間に生じた隙間Ｘを見切部材３６Ａと縦枠３２の突出部３２ｅとによって覆い隠すことができる。
【００１４】
これによって、縦枠３２の幅方向他方端面３２ｄにおいては、幅調整溝４２を形成する必要はないので、幅方向他方端面３２ｄに近接した位置に隠し蝶番１６を取り付けることができる。また、見切部材３６Ａの幅Ｔを、縦枠３２の突出部３２ｅの長さＰ１と同じかそれよりも小さく設定しているので、見切部材３６Ａの端面３６ｄが幅方向他方端面３２ｄから突出することはない。したがって、蝶番として隠し蝶番１６を用いたとしても開戸１８を開く際に戸パネル２６が縦枠３２または見切部材３６Ａに当たるのを防止でき、開戸１８を完全に開くことができる。
【００１５】
請求項２に記載した発明は、図２に示すように、請求項１に記載した「開戸枠構造１０」において、「前記見切部材３６Ａと同じ形状で同じサイズの見切部材３６Ｂを前記被覆部５０の背面と前記壁１２の他方主面１２Ｂとの両方に沿って配置した」ことを特徴とする。
【００１６】
本発明によれば、壁１２の両面に同じ形状で同じサイズの見切部材３６Ａ，３６Ｂが配置されるので、開戸枠構造１０を壁１２の両側から見たときの印象が近くなり、見た目のバランスがよくなる。  
【発明の効果】
【００１７】
請求項１および２に記載した発明によれば、（ａ）幅調整溝４２に挿入される幅調整部４８の挿入長さを調整することによって、壁１２の厚さのばらつきに対応することができる。また、（ｂ）縦枠３２の幅方向一方端部３２ａと壁１２との間に生じた隙間をケーシング部材３４で覆い隠すことができ、かつ、縦枠３２の幅方向他方端部３２ｂと壁１２との間に生じた隙間Ｘを見切部材３６Ａと縦枠３２の突出部３２ｅとによって覆い隠すことができる。また、（ｃ）縦枠３２における幅方向他方端面３２ｄに近接した位置に隠し蝶番１６を取り付けることができ、しかも、見切部材３６Ａの端面３６ｄが幅方向他方端面３２ｄから突出することがないので、開戸１８を開く際に戸パネル２６が縦枠３２または見切部材３６Ａに当たるのを防止でき、開戸１８を完全に開くことができる。そして、（ｄ）図４に示すように、開口部１４に近接して入隅５４が構成されている場合でも、見切部材３６Ａを使用しないことで簡単に対処できる。
【００１８】
請求項２に記載した発明によれば、開戸枠構造１０を壁１２の両側から見たときの印象を近づけることができるので、見た目のバランスがよくなり、意匠性を高めることができる。
【発明を実施するための最良の形態】
【００１９】
図１は、本発明が適用された開戸枠構造１０を示す斜視図であり、図２は、開戸枠構造１０を示す断面図である。開戸枠構造１０（図１、図２）は、図３に示すように、部屋等の壁１２に形成された開口部１４に隠し蝶番１６を介して開戸１８を取り付けるために使用されるものである。
【００２０】
ここで、壁１２は、図１および図２に示すように、複数の壁枠材２０ａによって枠組みされた壁枠２０と、壁枠２０の表裏両面に接合された壁板２２とによって構成されている。そして、壁１２に形成された開口部１４の内周部においては、表裏の壁板２２間に断面略四角形の棒状の開口下地枠２４が配設されており、この開口下地枠２４に対して開戸枠構造１０が組み付けられている。
【００２１】
開戸１８は、図３に示すように、開口部１４を閉塞する板状の戸パネル２６と、戸パネル２６の幅方向一方端面に近接して配設された取手２８とを有しており、戸パネル２６の幅方向他方端面には、隠し蝶番１６の一方の固定片１６ａが収容される少なくとも２つの蝶番収容穴３０（図２）が上下方向に間隔を隔てて形成されている。
【００２２】
隠し蝶番１６は、図１および図２に示すように、２つの固定片１６ａ，１６ｂと、これらを角度変更自在に連結するリンク機構（図示省略）とを有しており、一方の固定片１６ａが戸パネル２６の蝶番収容穴３０に固定されており、かつ、他方の固定片１６ｂが後述する縦枠３２の蝶番収容穴４６に固定されている。このため、開戸１８を閉めたときには、外部から隠し蝶番１６が見えなくなる。また、開戸１８と縦枠３２との隙間が小さくなり、当該隙間で手指を挟む事故を防止できるとともに、開戸１８を１８０度回転させることができる。
【００２３】
なお、隠し蝶番１６の種類は、特に限定されるものではなく、一般に市販されているものから適宜選択して用いることができる。隠し蝶番１６の具体的構造については、特開２００２−１２１９５５号公報または特開平６−２８８１３９号公報等が参考になる。
【００２４】
本実施例の開戸枠構造１０は、図１〜３に示すように、開口部１４の内側面に取り付けられた縦枠３２と、縦枠３２の幅方向一方端部３２ａと壁１２との間に生じた隙間を目隠しするケーシング部材３４と、縦枠３２の幅方向他方端部３２ｂと壁１２との間に生じた隙間を目隠しする見切部材３６Ａ（図１、図２）と、意匠的なバランスをとるためにケーシング部材３４の背面側に配設された見切部材３６Ｂと、開口部１４の上端面に取り付けられた横枠３８（図３）と、縦枠３２および横枠３８の表面に取り付けられた戸当り４０とを備えている。
【００２５】
縦枠３２は、開口部１４の内側面において開口下地枠２４に固定された断面略四角形の長尺板状の部材であり、縦枠３２の幅方向一方端面３２ｃには、ケーシング部材３４における幅調整部４８の先端部を挿脱方向に移動可能にて嵌合状態で収容する幅調整溝４２が形成されており、縦枠３２の幅方向他方端面３２ｄは、平坦に仕上げられており、幅方向他方端面３２ｄにおける表面側の角部は、意匠性を考慮して面取りされている。
【００２６】
そして、縦枠３２の表面には、戸当り４０が嵌合される嵌合溝４４と、隠し蝶番１６の他方の固定片１６ｂが収容される少なくとも２つの蝶番収容穴４６とが開口部１４側に開口するよう形成されている。蝶番収容穴４６が縦枠３２の幅方向他方端面３２ｄから遠くに離間している場合には、図６に示した従来技術のように、隠し蝶番１６の回転軸Ａが幅方向他方端面３２ｄよりも開口部１４の内側に配置されるため、開戸１８を完全に開くことができなくなる。そこで、本実施例では、隠し蝶番１６の回転軸Ａが幅方向他方端面３２ｄよりも開口部１４の外側に配置され得るように、幅方向他方端面３２ｄに近接した位置に蝶番収容穴４６を形成している。そして、蝶番収容穴４６の位置を基準として戸当り４０を取り付ける位置を設定し、その位置に嵌合溝４４を形成している。
【００２７】
開口下地枠２４に対する縦枠３２の取付け位置は、幅方向一方端面３２ｃが壁１２の幅内に配置され、かつ、幅方向他方端部３２ｂが壁１２の一方主面１２Ａから突出するように設定されている。また、壁１２の一方主面１２Ａから突出した部分（以下、「突出部」という。）３２ｅの突出方向長さＰ１は、見切部材３６Ａの幅Ｔと同じかそれよりも長く設定されている。そして、縦枠３２の厚さは、隠し蝶番１６の他方の固定片１６ｂを収容する蝶番収容穴４６を形成できるように、固定片１６ｂの幅よりも大きく設定されている。
【００２８】
ケーシング部材３４は、幅調整溝４２に壁１２の厚さに応じた長さで挿入される長尺板状の幅調整部４８と、壁１２の他方主面１２Ｂに沿って配置され、壁１２の端縁を覆う長尺板状または棒状の被覆部５０とによって断面略Ｌ字状に形成されている。
【００２９】
幅調整部４８は、（ａ）幅調整溝４２に対する挿入長さを調整することによって壁１２の厚さのばらつきに対応し、（ｂ）縦枠３２の幅方向一方端面３２ｃと壁板２２の端面との間に生じた段差Ｄを覆い隠し、さらに、（ｃ）その背面側に壁板２２の端面位置のばらつきを吸収する空間Ｓを構成する機能を有するものである。幅調整部４８の長さは、その先端部を幅調整溝４２へ挿入したときに所定長さの「調整しろ」を確保できるように設定されており、幅調整部４８の厚さは、挿入長さを調整する際にスライド可能なように幅調整溝４２の幅よりもやや薄く設定されている。
【００３０】
一方、被覆部５０は、幅調整部４８と協働して段差Ｄを覆い隠すとともに空間Ｓを構成する部分であり、幅調整部４８の幅方向端部に連続してこれと一体に形成されている。被覆部５０の長さは、その先端部が壁板２２の表面に当接するように設定されており、その先端部の厚さＰ２は、見切部材３６Ｂの幅Ｔとほぼ同じに設定されている。なお、本実施例では、被覆部５０と壁板２２との当たりを正確に取るため、被覆部５０の先端部を背面側(すなわち壁板２２側)に突出させているが、被覆部５０の全体の厚さを均等にしてもよい。
【００３１】
そして、幅調整部４８または被覆部５０の少なくとも一方が、縦枠３２または壁板２２に対して接着剤または固定ねじ等の固定手段（図示省略）を用いて固定されている。
【００３２】
見切部材３６Ａは、縦枠３２の背面３２ｆに当接される縦枠当接面３６ａと壁１２の一方主面１２Ａに当接される壁当接面３６ｂとを有する断面略凸字状の棒状部材である。つまり、見切部材３６Ａは、断面略四角形の棒状部材の同じ側の２つの角部に段差３６ｃを設けた形状を有しており、段差３６ｃの存在しない背面が壁当接面３６ｂとなっており、背面に直交する一方の側面が縦枠当接面３６ａとなっている。また、見切部材３６Ａの幅Ｔは、突出部３２ｅの突出方向長さＰ１と同じかそれよりも小さく設定されている。したがって、見切部材３６Ａの端面３６ｄが縦枠３２の幅方向他方端面３２ｄから突出することはない。
【００３３】
そして、この見切部材３６Ａが縦枠３２の幅方向他方端部３２ｂすなわち突出部３２ｅの背面３２ｆと壁１２の一方主面１２Ａとの両方に沿って配設されており、縦枠当接面３６ａまたは壁当接面３６ｂの少なくとも一方が、縦枠３２または壁板２２に対して接着剤、固定ねじ、釘、両面粘着テープ等の固定手段（図示省略）を用いて固定されている。
【００３４】
なお、見切部材３６Ａの断面形状は、特に限定されるものではなく、略四角形または略直角三角形等であってもよい。また、見切部材３６Ａの表面には、１つまたは複数の溝を形成してもよいし、表面側の角部を傾斜面または曲面に形成してもよい。ただし、いずれの形状においても、見切部材３６Ａの少なくとも縦枠３２と当接する側の表面には、段差３６ｃまたはこれに代わる切欠き部等を形成し、これによって、縦枠３２と見切部材３６Ａとの境界を目立たなくすることが望ましい。
【００３５】
見切部材３６Ｂは、開戸枠構造１０を壁１２の両側から見たときの意匠的なバランスをとることを目的として、ケーシング部材３４の背面側に配設された棒状部材である。縦枠３２の幅方向他方端部３２ｂの背面側に見切部材３６Ａを配設しただけでは、壁１２の両側において見た目の印象が大きく異なるため、意匠的には、統一感のない煩雑な印象となる。そこで、本実施例では、見切部材３６Ａと同じ形状で同じサイズの見切部材３６Ｂを被覆部５０の背面と壁１２の他方主面１２Ｂとの両方に沿って配置している。見切部材３６Ｂは、見切部材３６Ａと同様に「壁当接面３６ｂ」、「段差３６ｃ」および「端面３６ｄ」を有しているが、見切部材３６Ａの「縦枠当接面３６ａ」については「被覆部当接面３６ａ」と読み替える。
【００３６】
なお、見切部材３６Ｂは、必ずしも見切部材３６Ａと同じ形状である必要はなく、見切部材３６Ａとは異なる形状であってもよい。また、見切部材３６Ｂは必ずしも必要なものではなく、意匠的なバランスを考慮しない場合には、省略することができる。
【００３７】
横枠３８（図３）は、開口部１４の上端面において開口下地枠２４に固定された断面略四角形の長尺板状の部材である。横枠３８においては、隠し蝶番１６が取り付けられることがないので、縦枠３２のように戸パネル２６との干渉が問題となることはない。また、横枠３８は目の高さよりも高い位置に配設されるので、横枠３８と壁１２との間に生じた隙間が問題となることも少ない。そのため、横枠３８については、縦枠３２のような特別な構成を採用する必要はなく、一般に用いられているものを適宜選択して用いることができる。ただし、横枠３８についても、縦枠３２と同様に構成できることは勿論であり、この場合には、横枠３８に関連して、ケーシング部材３４および見切部材３６Ａ，３６Ｂを配設してもよい。
【００３８】
戸当り４０は、開戸１８を閉じた際に、戸パネル２６と縦枠３２または横枠３８との間に生じた隙間を目隠しするための棒状部材であり、開戸１８を閉じたときに戸パネル２６の表面に沿う断面略四角形の本体部分４０ａと、縦枠３２に設けられた嵌合溝４４に嵌合される嵌合突部４０ｂとによって構成されている。戸当り４０は、「開戸」において一般に使用されるものであり、合成樹脂または木質材等によって一体に形成されている。そして、戸当り４０の嵌合突部４０ｂが縦枠３２の嵌合溝４４に嵌合され、かつ、接着剤等の固定手段（図示省略）を用いてこれに固定されている。
【００３９】
縦枠３２、ケーシング部材３４、見切部材３６Ａ、見切部材３６Ｂおよび横枠３８の材質は、特に限定されるものではないが、加工が容易な点において、合板、集成材、木質繊維板（ＭＤＦ等）等を用いることが望ましい。また、これらの表面には、必要に応じて化粧シートを貼り付けるようにしてもよいし、塗装を施してもよい。
【００４０】
開戸枠構造１０を開口部１４に組み付けた状態において、縦枠３２の蝶番収容穴４６には、戸パネル２６に取り付けられた隠し蝶番１６の他方の固定片１６ｂが嵌入され、この固定片１６ｂが固定ねじ（図示省略）を用いて縦枠３２に固定される。
【００４１】
本実施例によれば、幅調整溝４２に挿入される幅調整部４８の挿入長さを調整することによって、壁１２の厚さのばらつきに対応することができる。また、縦枠３２の幅方向一方端部３２ａと壁１２との間に生じた隙間をケーシング部材３４によって覆い隠すことができ、縦枠３２の幅方向他方端部３２ｂと壁１２との間に生じた隙間を見切部材３６Ａと縦枠３２の突出部３２ｅとによって覆い隠すことができる。
【００４２】
そして、縦枠３２の幅方向他方端面３２ｄに近接した位置に蝶番収容穴４６を形成し、そこに隠し蝶番１６を取り付けるようにしているので、隠し蝶番１６の回転軸Ａ（図２）を幅方向他方端面３２ｄよりも開口部１４の外側に配置することができる。また、見切部材３６Ａの幅Ｔを、縦枠３２の突出部３２ｅの長さＰ１と同じかそれよりも小さく設定しているので、見切部材３６Ａの端面３６ｄが幅方向他方端面３２ｄから突出するのを防止できる。したがって、開戸１８を開く際に戸パネル２６が縦枠３２または見切部材３６Ａに当たるのを防止でき、開戸１８を完全に開くことができる。
【００４３】
また、図４に示すように、縦枠３２の背面側に２つの壁１２，５２によって入隅５４が構成されている場合には、見切部材３６Ａを配設するスペースを確保できないが、縦枠３２と壁１２との間に生じた隙間を壁５２によって目隠しすることができるので、見切部材３６Ａは不要である。したがって、この場合には、見切部材３６Ａを使用しないことで簡単に対処できる。
【図面の簡単な説明】
【００４４】
【図１】開戸枠構造を示す斜視図
【図２】開戸枠構造を示す断面図
【図３】開戸枠構造を示す正面図
【図４】開戸枠構造の他の使用態様を示す断面図
【図５】従来の開戸枠構造（壁板収容溝を有するもの）を示す断面図
【図６】従来の開戸枠構造（２本のケーシング部材を有するもの）を示す断面図
【図７】従来の開戸枠構造（１本のケーシング部材を有するもの）を示す断面図
【符号の説明】
【００４５】
１０…  開戸枠構造
１２，５２…  壁
１２Ａ…  一方主面
１２Ｂ…  他方主面
１４…  開口部
１６…  隠し蝶番
１６ａ，１６ｂ…  固定片
１８…  開戸
２２…  壁板
２４…  開口下地枠
２６…  戸パネル
３２…  縦枠
３２ａ…  幅方向一方端部
３２ｂ…  幅方向他方端部
３２ｃ…  幅方向一方端面
３２ｄ…  幅方向他方端面
３２ｅ…  突出部
３４…  ケーシング部材
３６Ａ，３６Ｂ…  見切部材
３６ａ…  縦枠当接面（被覆部当接面）
３６ｂ…  壁当接面
３６ｃ…  段差
３６ｄ…  端面
４２…  幅調整溝
４６…  蝶番収容穴
４８…  幅調整部
５０…  被覆部
５４…  入隅
【図１】
0004695634.tif 000002
【図２】
0004695634.tif 000003
【図３】
0004695634.tif 000004
【図４】
0004695634.tif 000005
【図５】
0004695634.tif 000006
【図６】
0004695634.tif 000007
【図７】
0004695634.tif 000008